(57)【要約】【課題】通信障害の発生したアクセスポイントを迅速に復旧できる電子機器、通信システムおよびプログラムを提供する。【解決手段】実施形態の電子機器は、記憶手段と、第１接続手段と、第２接続手段と、報知手段とを備える。記憶手段は、ネットワーク上の識別情報として第１識別情報および第２識別情報を記憶する。第１接続手段は、前記第１識別情報により識別される第１アクセスポイントに接続する。第２接続手段は、前記第１アクセスポイントに接続不可能である場合に、前記第２識別情報により識別される第２アクセスポイントに接続先を切り替えて接続する。報知手段は、前記第２接続手段が前記第２アクセスポイントに接続した場合に、前記第１アクセスポイントは接続不可能である旨を報知する。【選択図】図１
2012182743.tif 000002
【特許請求の範囲】
【請求項１】
ネットワーク上の識別情報として第１識別情報および第２識別情報を記憶する記憶手段と、
前記第１識別情報により識別される第１アクセスポイントに接続する第１接続手段と、
前記第１アクセスポイントに接続不可能である場合に、前記第２識別情報により識別される第２アクセスポイントに接続先を切り替えて接続する第２接続手段と、
前記第２接続手段が前記第２アクセスポイントに接続した場合に、前記第１アクセスポイントは接続不可能である旨を報知する報知手段と、
を備える電子機器。
【請求項２】
前記記憶手段は、
前記第１識別情報として、前記第１アクセスポイントに固有の前記識別情報を記憶し、
前記第２識別情報として、前記第１アクセスポイントおよび前記第２アクセスポイントを含む複数のアクセスポイントにおいて共通の前記識別情報を記憶する、
請求項１に記載の電子機器。
【請求項３】
前記報知手段は、前記第２アクセスポイントを介して接続可能であるサーバに、前記第１アクセスポイントは接続不可能である旨を報知する、
請求項１または２に記載の電子機器。
【請求項４】
前記報知手段は、前記第１アクセスポイントは接続不可能である旨を表示器に表示することにより前記報知を行う、
請求項１ないし３のいずれか１つに記載の電子機器。
【請求項５】
第１アクセスポイントおよび第２アクセスポイントを含む少なくとも２つのアクセスポイントと、少なくとも１つの電子機器を備える通信システムにおいて、
前記電子機器は、
前記第１識別情報および前記第２識別情報を記憶する記憶手段と、
前記第１識別情報により識別される前記第１アクセスポイントに接続する第１接続手段と、
前記第１アクセスポイントに接続不可能である場合に、前記第２識別情報により識別される第２アクセスポイントに接続先を切り替えて接続する第２接続手段と、
前記第２接続手段が前記第２アクセスポイントに接続した場合に、前記第１アクセスポイントは接続不可能である旨を報知する報知手段と、
を備える通信システム。
【請求項６】
ネットワーク上の識別情報として第１識別情報および第２識別情報を記憶する記憶手段を備える電子機器において、コンピュータを、
前記第１識別情報により識別される第１アクセスポイントに接続する第１接続手段と、
前記第１アクセスポイントに接続不可能である場合に、前記第２識別情報により識別される第２アクセスポイントに接続先を切り替えて接続する第２接続手段と、
前記第２接続手段が前記第２アクセスポイントに接続した場合に、前記第１アクセスポイントは接続不可能である旨を報知する報知手段と、
として機能させるためのプログラム。
【発明の詳細な説明】
【技術分野】
【０００１】
本発明の実施形態は、電子機器、通信システムおよびプログラムに関する。
【背景技術】
【０００２】
スーパーマーケット等の店舗においてＰＯＳ（Point  Of  Sales）システムを構築する際には、ＰＯＳ端末と無線ＬＡＮ通信が可能な位置にアクセスポイントが設置される。そしてＰＯＳ端末は、このアクセスポイントを介して店舗内に設けられたネットワークに接続することができ、このネットワーク上のストアサーバとのデータ通信を行うことができる。
【０００３】
従来、無線ＬＡＮによるネットワークを構築する際には、各機器のネットワーク上の識別情報として、複数のアクセスポイントを設置したネットワークでも使用できるＥＳＳＩＤ（Extended  Service  Set  IDentifier）が用いられる。即ち、ＰＯＳ端末には、通常優先的に用いる第１のアクセスポイントのＥＳＳＩＤと、第１のアクセスポイントが故障した場合に用いる第２のアクセスポイントのＥＳＳＩＤとの複数のＥＳＳＩＤを設定することができる。これにより、通常使用している第１のアクセスポイントが故障した場合には、第２のアクセスポイントに接続して、サーバとの通信を行うことができる。
【発明の概要】
【発明が解決しようとする課題】
【０００４】
しかしながら、上述のようにＥＳＳＩＤを用いてネットワーク接続を行うと、アクセスポイントの１つが故障してもＰＯＳ端末は他のＥＳＳＩＤを用いて他のアクセスポイントに接続可能であるため、アクセスポイントの故障が発覚しづらいという課題があった。
【課題を解決するための手段】
【０００５】
実施形態の電子機器は、記憶手段と、第１接続手段と、第２接続手段と、報知手段とを備える。記憶手段は、ネットワーク上の識別情報として第１識別情報および第２識別情報を記憶する。第１接続手段は、前記第１識別情報により識別される第１アクセスポイントに接続する。第２接続手段は、前記第１アクセスポイントに接続不可能である場合に、前記第２識別情報により識別される第２アクセスポイントに接続先を切り替えて接続する。報知手段は、前記第２接続手段が前記第２アクセスポイントに接続した場合に、前記第１アクセスポイントは接続不可能である旨を報知する。
【図面の簡単な説明】
【０００６】
【図１】図１は、本実施形態に係るＰＯＳシステムの構成を示すブロック図である。
【図２】図２は、各アクセスポイントに対して設定されるＥＳＳＩＤを示す図である。
【図３】図３は、各ＰＯＳ端末に対して設定されるＥＳＳＩＤを示す図である。
【図４】図４は、発注端末に対して設定されるＥＳＳＩＤを示す図である。
【図５】図５は、ＰＯＳ端末の構成を示すブロック図である。
【図６】図６は、ＰＯＳ端末が実行するネットワーク接続処理の手順を示すフローチャートである。
【図７】図７は、ＰＯＳ端末が表示するアクセスポイント障害通知画面の一例を示す図である。
【発明を実施するための形態】
【０００７】
本実施形態に係る通信システムは、例えばスーパーマーケット等の店舗において構築されるＰＯＳシステムに適用可能である。
【０００８】
図１は、本実施形態に係るＰＯＳシステム１の構成を示すブロック図である。ＰＯＳシステム１は、店舗における在庫管理や販売管理を行うストアサーバ２と、商品の販売登録を行うＰＯＳ端末Ｐ１、Ｐ２と、商品の発注処理を行うポータブルタイプの発注端末５とを主に備えており、これらが無線ＬＡＮ等のネットワークＮＴ１や有線ＬＡＮ等のネットワークＮＴ２によって相互通信可能に構築されている。尚、ネットワークＮＴ１は赤外線通信等、その他の通信方式であってもよい。
【０００９】
ＨＵＢ３には、ストアサーバ２と、ブロードバンドルータ４と、無線ＬＡＮのアクセスポイントＡ１、Ａ２とが有線ＬＡＮ等のネットワークＮＴ２により接続されている。
【００１０】
ストアサーバ２は、ＨＵＢ３およびブロードバンドルータ４を介して、ＷＡＮ（Wide  Area  Network）等のネットワークＮＴ３を介して、ブロードバンドルータ４に接続されているコールセンターのサーバ６と相互通信可能となっている。
【００１１】
ＰＯＳ端末Ｐ１、Ｐ２および発注端末５は、ネットワークＮＴ１によってアクセスポイントＡ１、Ａ２のいずれか一方に接続可能である。即ち、ＰＯＳ端末Ｐ１、Ｐ２および発注端末５は、アクセスポイントＡ１、Ａ２のいずれか一方を介して、ストアサーバ２やコールセンターのサーバ６と相互に通信可能である。
【００１２】
尚、ＰＯＳ端末およびアクセスポイントの数は図１に記載した数に限定されるものではない。ＰＯＳ端末またはアクセスポイントは２つ以上備えられるとしてもよい。この場合にも、各ＰＯＳ端末は複数のアクセスポイントのいずれか１つに接続可能とされる。また、図１中では発注端末５が１台示されているが、ＰＯＳシステムは複数台の発注端末５を備えるとしてもよい。
【００１３】
次に、ＰＯＳシステム１におけるネットワーク接続の設定方法について説明する。
【００１４】
まず、各アクセスポイントＡ１、Ａ２におけるＥＳＳＩＤの設定方法について説明する。図２は、各アクセスポイントＡ１、Ａ２に対して設定されるＥＳＳＩＤを示す図である。図２に示すように、各アクセスポイントＡ１、Ａ２にはそれぞれ、店舗内に設置される複数のアクセスポイントに共通である共通ＥＳＳＩＤと、各アクセスポイントに固有の固有ＥＳＳＩＤとが設定される。
【００１５】
即ち、アクセスポイントＡ１においては、アクセスポイントＡ１に固有の固有ＥＳＳＩＤとしてＢＢＢ１が設定される。また、アクセスポイントＡ２においては、アクセスポイントＡ２に固有の固有ＥＳＳＩＤとしてＢＢＢ２が設定される。そして、これらアクセスポイントＡ１、Ａ２の双方に対して共通である共通ＥＳＳＩＤがＡＡＡＡと設定される。
【００１６】
次に、各ＰＯＳ端末Ｐ１、Ｐ２におけるＥＳＳＩＤの設定方法について説明する。図３は、各ＰＯＳ端末に対して設定されるＥＳＳＩＤを示す図である。図３に示すように、各ＰＯＳ端末Ｐ１、Ｐ２にはそれぞれ、第１ＥＳＳＩＤ、第２ＥＳＳＩＤとの２つのＥＳＳＩＤが設定される。
【００１７】
第１ＥＳＳＩＤとしては、店舗内において各ＰＯＳ端末Ｐ１、Ｐ２から最も近い位置に配置されているアクセスポイントの固有ＥＳＳＩＤが設定される。一例として、ＰＯＳ端末Ｐ１の第１ＥＳＳＩＤとしては、アクセスポイントＡ１の固有ＥＳＳＩＤであるＢＢＢ１が設定される。また、ＰＯＳ端末Ｐ２の第１ＥＳＳＩＤとしては、アクセスポイントＡ２の固有ＥＳＳＩＤであるＢＢＢ２が設定される。
【００１８】
また、第２ＥＳＳＩＤとしては、ＰＯＳ端末Ｐ１、Ｐ２共に、上述した共通ＥＳＳＩＤであるＡＡＡＡが設定される。
【００１９】
また、第１ＥＳＳＩＤは第２ＥＳＳＩＤよりも優先して用いられる。即ち第１ＥＳＳＩＤによるネットワーク接続が不可能である場合に、第２ＥＳＳＩＤを用いてネットワーク接続が試みられる。
【００２０】
即ち、ＰＯＳ端末Ｐ１においては、まず第１ＥＳＳＩＤのＢＢＢ１が用いられ、ＢＢＢ１で識別されるアクセスポイントＡ１への接続が優先的に行われる。アクセスポイントＡ１への接続が不可能である場合に、ＰＯＳ端末Ｐ１は第２ＥＳＳＩＤのＡＡＡＡを用いて、ＡＡＡＡで識別されるアクセスポイント（Ａ１または）Ａ２への接続を試みる。
【００２１】
同様に、ＰＯＳ端末Ｐ２においては、まず第１ＥＳＳＩＤのＢＢＢ２が用いられ、ＢＢＢ２で識別されるアクセスポイントＡ２への接続が優先的に行われる。アクセスポイントＡ２への接続が不可能である場合に、ＰＯＳ端末Ｐ２は第２ＥＳＳＩＤのＡＡＡＡを用いて、ＡＡＡＡで識別されるアクセスポイントＡ１（またはＡ２）への接続を試みる。
【００２２】
尚、上述では第２ＥＳＳＩＤとして共通ＥＳＳＩＤを用いるとしたが、第２ＥＳＳＩＤはこれに限定されるものではない。第１ＥＳＳＩＤで識別されるアクセスポイントＡ１以外のアクセスポイント（Ａ２）が識別されるＥＳＳＩＤであれば、その他のＥＳＳＩＤを第２ＥＳＳＩＤとして設定するとしてもよい。例えば、ＰＯＳ端末Ｐ１の第２ＥＳＳＩＤとしては、ＰＯＳ端末Ｐ１に２番目に近い位置にあるアクセスポイントＡ２の固有ＥＳＳＩＤ（ＢＢＢ２）を設定するとしてもよい。
【００２３】
次に、発注端末５におけるＥＳＳＩＤの設定方法について説明する。図４は、発注端末５に対して設定されるＥＳＳＩＤを示す図である。図４に示すように、発注端末５においては、第１ＥＳＳＩＤのみが設定され、該第１ＥＳＳＩＤとしては上述の共通ＥＳＳＩＤが設定される。
【００２４】
即ち、発注端末５は通常、店舗内を移動しながら用いられる。従って、上述のように店舗内の複数のアクセスポイントＡ１、Ａ２に共通の共通ＥＳＳＩＤを第１ＥＳＳＩＤとして設定することで、移動場所に合わせて最寄のアクセスポイント（Ａ１、Ａ２）に接続することができる。
【００２５】
次に、ＰＯＳ端末Ｐ１、Ｐ２のより詳細な構成について説明する。尚、ＰＯＳ端末Ｐ１、Ｐ２の構成は同様であるため、以下ではＰＯＳ端末Ｐ１について説明する。
【００２６】
図５は、ＰＯＳ端末Ｐ１の構成を示すブロック図である。
【００２７】
ＰＯＳ端末Ｐ１は、ＣＰＵと、ＲＯＭと、ＲＡＭ等（いずれも不図示）で構成されるコンピュータ構成の制御部１０を備えている。ＲＯＭは、ＣＰＵが実行する各種プログラムや各種データ、図３で上述した第１ＥＳＳＩＤ、第２ＥＳＳＩＤ等のネットワークにかかる設定情報等を記憶する。ＲＡＭは、ＣＰＵが各種プログラムを実行する際に一時的にデータやプログラムを記憶する。また、ＲＡＭは、商品の販売記録を示す販売データや、店員用ディスプレイ２５や客用ディスプレイ２６に表示する各種の画面表示データを記憶する。
【００２８】
制御部１０は、Ｉ／Ｏ機器制御部２０およびバス２２を介して、キーボード２４、店員用ディスプレイ２５、客用ディスプレイ２６、プリンタ２７、スキャナ２８等のＩ／Ｏ機器を制御し、ＰＯＳ端末Ｐ１のシステム全体を制御するものである。キーボード２４にはテンキーやその他各キーが設けられている。店員用ディスプレイ２５、客用ディスプレイ２６は、販売登録される商品の商品名や価格等の情報や、その他の各種画面を表示する。プリンタ２７はレシートやジャーナル等を印刷する。スキャナ２８は商品に付されたバーコードや二次元コード等を読み取る。
【００２９】
また、制御部１０は、通信Ｉ／Ｆ２１と、ネットワークＮＴ１、ＮＴ２と、アクセスポイントＡ１、Ａ２のいずれか一方とを介してストアサーバ２（図１参照）と相互に通信を行う。また、制御部１０は、通信Ｉ／Ｆ２１と、アクセスポイントＡ１、Ａ２のいずれか一方と、ネットワークＮＴ１、ＮＴ２、ＮＴ３と、ブロードバンドルータ４とを介してコールセンターのサーバ６と相互に通信を行う。
【００３０】
本実施形態のＰＯＳ端末Ｐ１で実行されるプログラムは、第１接続部１１、第２接続部１２、障害通知部１３を含むモジュール構成となっている。ＣＰＵ（プロセッサ）は、上記ＲＯＭから本実施形態のプログラムを読み出して実行することにより上記各部が主記憶装置上にロードされ、図５に示すように制御部１０においては、第１接続部１１、第２接続部１２、障害通知部１３が主記憶装置上に生成される。
【００３１】
第１接続部１１は、第１接続手段として機能し、第１ＥＳＳＩＤ（ＢＢＢ１）を用いて、第１ＥＳＳＩＤにより識別されるアクセスポイントＡ１に対する無線ネットワーク接続を行う。即ち、第１接続部１１は、第１ＥＳＳＩＤを固有ＥＳＳＩＤとするアクセスポイントＡ１に対する無線ネットワーク接続を行う。
【００３２】
第２接続部１２は、第２接続手段として機能し、第１接続部１１がアクセスポイントＡ１に接続不可能である場合に、使用するＥＳＳＩＤを第１ＥＳＳＩＤから第２ＥＳＳＩＤに切り替える。そして、第２接続部１２は、第２ＥＳＳＩＤにより識別され、接続不可能であるアクセスポイントＡ１以外のアクセスポイント（図１の例では、アクセスポイントＡ２）に接続先を切り替えて無線ネットワーク接続を行う。
【００３３】
即ち、図３に示すようにＰＯＳ端末Ｐ１のＥＳＳＩＤが設定されている場合、まず第１接続部１１は第１ＥＳＳＩＤのＢＢＢ１を用いてネットワーク接続を試みる。図２に示すように、ＢＢＢ１はアクセスポイントＡ１の固有ＥＳＳＩＤであるので、第１接続部１１はアクセスポイントＡ１に接続を試みる。ここで、アクセスポイントＡ１が通信障害のためにネットワーク応答が得られない場合には、第１接続部１１はアクセスポイントＡ１に通信障害有りと判定する。
【００３４】
そして、第２接続部１２は、図３に示すように第２ＥＳＳＩＤとして設定されているＡＡＡＡに切り替えてネットワーク接続を試みる。図２に示すように、ＡＡＡＡはアクセスポイントＡ１、Ａ２に共通の共通ＥＳＳＩＤである。ここで、アクセスポイントＡ１は通信障害のために応答できないから、第２接続部１２は、アクセスポイントＡ２からネットワーク応答を得ることとなる。
【００３５】
尚、店舗内に３つ以上のアクセスポイントが設置される場合には、共通ＥＳＳＩＤが３つ以上のアクセスポイントに対して設定される。この場合に、第２接続部１２は、第２ＥＳＳＩＤにより接続可能なアクセスポイントのうち、最も電波状況の良いアクセスポイントに接続する。
【００３６】
尚、図３の説明で上述したように、第２ＥＳＳＩＤとして共通ＥＳＳＩＤではなく固有ＥＳＳＩＤが設定されている場合であっても、第２接続部１２は上述と同様に、第１ＥＳＳＩＤから第２ＥＳＳＩＤに切り替えて無線ネットワーク接続を行う。
【００３７】
障害通知部１３は、報知手段として機能し、第２接続部１２がアクセスポイントＡ２に接続した場合に、アクセスポイントＡ１に通信障害が生じており接続不可能である旨を、アクセスポイントＡ２、ネットワークＮＴ２、ＮＴ３およびブロードバンドルータ４を介してコールセンターのサーバ６に通知する。尚、通知される情報としては、障害通知部１３は、アクセスポイントＡ１の名称または呼称（例えば、アクセスポイント１など）、アクセスポイントＡ１の固有ＥＳＳＩＤ等が含まれることが好ましい。
【００３８】
尚、障害通知部１３は、ＳＮＭＰ（Simple  Network  Management  Protocol）およびソケット通信のいずれの方法によってサーバ６への通知を行ってもよい。また、その他の方法によってサーバ６への通知を行うとしてもよい。
【００３９】
また、障害通知部１３は、アクセスポイントＡ１に接続不可能である旨を、アクセスポイントＡ１およびネットワークＮＴ２を介してストアサーバ２に通知するとしてもよい。
【００４０】
コールセンターのサーバ６またはストアサーバ２は、この通知を受けた場合に、アクセスポイントＡ１に通信障害が生じていることを示すメッセージを表示器に表示する等して、ユーザ（ネットワークの管理者）にこの旨を報知する。尚、サーバ６またはストアサーバ２は、この他にも音声通知や担当者へのメール通知、障害箇所を示す表示灯を点灯させる等によって、アクセスポイントＡ１における通信障害を報知するとしてもよい。
【００４１】
これにより、ユーザはアクセスポイントＡ１に通信障害が生じていることを迅速に把握することができ、アクセスポイントＡ１の復旧作業に迅速に取り掛かることができる。
【００４２】
尚、第１接続部１１は、アクセスポイントＡ１の復旧後、即ち、アクセスポイントＡ１からの接続応答が得られた場合に、使用するＥＳＳＩＤを第２ＥＳＳＩＤから第１ＥＳＳＩＤに切り替えて、アクセスポイントＡ１にネットワーク接続する。
【００４３】
次に、ＰＯＳ端末Ｐ１が実行するネットワーク接続処理の手順について説明する。図６は、ＰＯＳ端末Ｐ１が実行するネットワーク接続処理の手順を示すフローチャートである。
【００４４】
まず、ＰＯＳ端末Ｐ１は、第１ＥＳＳＩＤを用いてアクセスポイントＡ１に対する接続を開始する（ステップＳ１）。ＰＯＳ端末Ｐ１は、アクセスポイントＡ１からの応答が有るか否かを判定する（ステップＳ２）。アクセスポイントＡ１からの応答が有る場合（ステップＳ２：Ｙｅｓ）には、アクセスポイントＡ１への接続を開始し（ステップＳ１）、アクセスポイントＡ１を介してネットワークＮＴ２への接続を行う。
【００４５】
一方、アクセスポイントＡ１からの応答が無い場合（ステップＳ２：Ｎｏ）には、所定時間、応答待ちを行う（ステップＳ３）。即ちＰＯＳ端末Ｐ１は、ステップＳ１において接続を開始してから、所定時間が経過したか判定する（ステップＳ３）。そして、所定時間が経過しない間（ステップＳ３：Ｎｏ）はステップＳ１〜Ｓ２を繰り返して所定時間が経過するまでアクセスポイントＡ１からの応答を待つ。
【００４６】
アクセスポイントＡ１への接続が行えない状態で所定時間が経過した場合（ステップＳ３：Ｙｅｓ）にはステップＳ４に移行する。ＰＯＳ端末Ｐ１は、アクセスポイントＡ１は接続不可能であると判定し、使用するＥＳＳＩＤを第１ＥＳＳＩＤから第２ＥＳＳＩＤに切り替えて、アクセスポイントＡ２への接続を開始する（ステップＳ４）。
【００４７】
そして、ＰＯＳ端末Ｐ１は、アクセスポイントＡ２、ネットワークＮＴ２、ＮＴ３およびブロードバンドルータ４を介してコールセンターのサーバ６に、アクセスポイントＡ１の通信障害を通知する（ステップＳ５）。この通知を受けて、コールセンターは店舗にサービスマンを派遣し、アクセスポイントＡ１の復旧作業を行うことができる。
【００４８】
ＰＯＳ端末Ｐ１は、アクセスポイントＡ１が復旧してアクセスポイントＡ１からの応答が有るか否かを判定する（ステップＳ６）。アクセスポイントＡ１が復旧しない間（ステップＳ６：Ｎｏ）は、ＰＯＳ端末Ｐ１は、アクセスポイントＡ２を介してネットワークＮＴ２への接続を行う。
【００４９】
アクセスポイントＡ１が復旧した場合（ステップＳ６：Ｙｅｓ）には、ＰＯＳ端末Ｐ１は用いるＥＳＳＩＤを第２ＥＳＳＩＤから第１ＥＳＳＩＤに切り替えて、アクセスポイントＡ１への接続を開始する（ステップＳ１）。
【００５０】
尚、上述では、障害通知部１３は、コールセンターのサーバ６またはストアサーバ２に対してアクセスポイントＡ１の通信障害を通知するとしたが、報知先はこれに限定されるものではない。その他の例として、ＰＯＳ端末Ｐ１の店員用ディスプレイ２５にこの障害を通知するとしてもよい。
【００５１】
図７は、ＰＯＳ端末Ｐ１が表示するアクセスポイント障害通知画面の一例を示す図である。図７に示すように、アクセスポイント障害通知画面には、ＰＯＳ端末Ｐ１が接続できなかったアクセスポイントの名称（アクセスポイント１）とその固有ＥＳＳＩＤ（ＢＢＢ１）とが表示される。これにより、店員がアクセスポイントに障害が生じていることを把握することができ、復旧作業を行うことができる。なお、アクセスポイント障害通知画面には、図７に示すように、管理会社に通知するためのボタンを設けて、このボタンが選択された場合に、図１のコールセンターのサーバ６に当該アクセスポイント１の通信障害について通知するとしてもよい。
【００５２】
なお、本実施形態のＰＯＳ端末Ｐ１、Ｐ２で実行されるプログラムは、ＲＯＭ等に予め組み込まれて提供される。本実施形態のＰＯＳ端末Ｐ１、Ｐ２で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５３】
さらに、本実施形態のＰＯＳ端末Ｐ１、Ｐ２で実行されるプログラムを、インターネット等のネットワークに接続されたコンピュータ上に格納し、ネットワーク経由でダウンロードさせることにより提供するように構成しても良い。また、本実施形態のＰＯＳ端末Ｐ１、Ｐ２で実行されるプログラムをインターネット等のネットワーク経由で提供または配布するように構成しても良い。
【００５４】
以上説明したとおり、本実施形態によれば、第１アクセスポイントに接続不可能である場合に、第２アクセスポイントに接続を切替えるとともに第１アクセスポイントは接続不可能である旨を報知する。これにより、ユーザは第１アクセスポイントの通信障害を把握することができ、第１アクセスポイントを迅速に復旧することが可能となる。
【００５５】
また、上述のように、各ＰＯＳ端末Ｐ１、Ｐ２においては、第１ＥＳＳＩＤとして各アクセスポイントＰ１、Ｐ２の固有ＥＳＳＩＤを設定するので、各アクセスポイントＡ１、Ａ２には１つ以上のＰＯＳ端末（Ｐ１、Ｐ２）が接続されることとなる。従って、アクセスポイントＡ１，Ａ２の通信に障害が生じた場合には、いずれのアクセスポイント（Ａ１、Ａ２）に障害が生じた場合であっても漏れなくその通信障害を把握することができる。
【００５６】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００５７】
１  ＰＯＳシステム
２  ストアサーバ
３  ＨＵＢ
４  ブロードバンドルータ
５  発注端末
６  サーバ
Ａ１、Ａ２  アクセスポイント
Ｐ１、Ｐ２  ＰＯＳ端末
ＮＴ１、ＮＴ２、ＮＴ３  ネットワーク
１１  第１接続部（第１接続手段）
１２  第２接続部（第２接続手段）
１３  障害通知部（報知手段）
【先行技術文献】
【特許文献】
【００５８】
【特許文献１】特開２００５−８６２３４号公報
【図１】
2012182743.tif 000003
【図２】
2012182743.tif 000004
【図３】
2012182743.tif 000005
【図４】
2012182743.tif 000006
【図５】
2012182743.tif 000007
【図６】
2012182743.tif 000008
【図７】
2012182743.tif 000009